(57)【要約】      （修正有）【課題】簡素な構造のファンにより、空気を高風圧で且つ多大な風量にして、衣服と人体側との隙間に均一に送風できる空調衣服用送風装置、および空調衣服を提供する。【解決手段】モータとファン２０を内設し送気孔を有する内側筒体と、該内側筒体外側の外気吸気孔を有し、外周面に径方向に延びるフランジを有する外側筒体と、該外周面にネジ結合されるリング体とを備え、ファン２０はモータ回転軸に接続されるスピナー２１と、該スピナーから放射状に突設された８〜１０枚の羽根２４とからなり、該羽根はスピナーの外周面２２に、該スピナーの径方向に沿った面ｋに対し３０〜３４度傾斜θ１して接続された羽根基部２５と、該羽根基部から先端側に曲面状に延び、面ｋに対し１６〜２０度傾斜θ２している羽根先端部２６とを有すると共に、面ｋに対し羽根基部２５から羽根先端部２６に向かってスピナーの先端面側に４〜７度傾斜θ３している、空調衣服用送風装置。【選択図】図５
2020002482.tif 000002
【特許請求の範囲】
【請求項１】
衣服(１)の布地(８)に設けた開口孔(９)に取り付けられ、且つ前記衣服(１)の内側に外気を送風して着用者の発汗を抑制するための空調衣服用送風装置(１０)であって、
モータ(Ｍ)および該モータ(Ｍ)により回転するファン(２０)を内設し且つ送気孔(１８)を有する内側筒体(１１)と、
上記内側筒体(１１)の外側に固定され、外気導入用の吸気孔(５９)を有し且つ外周面に径方向に突出するフランジ(５２)を有する外側筒体(５０)と、
全体が円環状を呈し且つ上記内側筒体(１１)の外周面にネジ結合されるリング体(６０)と、を備え、
上記ファン(２０)は、上記モータ(Ｍ)の回転軸に接続されるスピナー(２１)と、該スピナー(２１)の外周面(２２)から放射状に突設された８枚乃至１０枚の羽根(２４)とからなり、
上記羽根(２４)は、上記スピナー(２１)の外周面(２２)に、該スピナー(２１)の径方向に沿った面(ｋ)に対して３０度〜３４度の傾斜角度（θ１）で接続された羽根基部(２５)と、該羽根基部(２５)から先端側に曲面状に延び、且つ上記スピナー(２１)の径方向に沿った面(ｋ)に対して１６度〜２０度の傾斜角度（θ２）で傾斜している羽根先端部(２６)と、を有していると共に、
上記羽根(２４)は、上記スピナー(２１)の径方向に沿った面(ｋ)に対し、回転方向で後側となる羽根後側面(２８)において、上記羽根基部(２５)から羽根先端部(２６)に向かって前記スピナー(２１)の先端面側に４度〜７度の傾斜角度（θ３）で傾斜している、
ことを特徴とする空調衣服用送風装置(１０)。
【請求項２】
前記ファン(２０)の羽根(２４)は、９枚であり、回転方向で後側となる羽根後側面(２８)において、前記羽根基部(２５)から羽根先端部(２６)に向かって前記スピナー(２１)の先端面側に５度〜６度の傾斜角度（θ３）で傾斜している、
ことを特徴とする請求項１に記載の空調衣服用送風装置(１０)。
【請求項３】
前記スピナー(２１)の先端面側は、半球形状であり、且つ該スピナー(２１)の先端面と、前記外側筒体(５０)の頂部(５６)との間には、７ｍｍ以上間隔(Ｌ)が配置されれている、
ことを特徴とする請求項１または２に記載の空調衣服用送風装置(１０)。
【請求項４】
前記羽根(２４)の回転方向における先側の羽根先側面(２７)および後側の羽根後側面(２８)の少なくとも一方の羽根先端部(２６)側には、該羽根(２４)の回転方向または厚み方向に延びたウィングレッド(２９)が突出している、
ことを特徴とする請求項１乃至３の何れか一項に記載の空調衣服用送風装置(１０)。
【請求項５】
請求項１乃至４の何れか一項に記載の空調衣服用送風装置(１０)を、衣服(１)の布地(８)に設けた取付孔(９)に取り付けてなる、
ことを特徴とする空調衣服(１)。
【発明の詳細な説明】
【技術分野】
【０００１】
本発明は、夏季や高温環境下などにおいて各種の作業を行う作業者などが着用する衣服の内側に外気を送風して、着用者の発汗を抑制するための空調衣服用送風装置、およびこれを用いた空調衣服に関する。
【背景技術】
【０００２】
例えば、空気取込口と、羽根およびモータを有し、前面に設けた空気吸込口から空気を取り込み、側面に設けた平行風送出部から側面方向に空気を吹き出して、人体に対し略平行な平行風を発生させる平行風発生手段と、空気出口部と、を含むと共に、前記平行風発生手段を、側流ファン（シロツコファンまたはターボファン）、斜流ファン、あるいは、プロペラ（軸流）ファンの何れかとした冷却衣服が提案されている（例えば、特許文献１参照）。
【０００３】
しかし、前記冷却衣服において、前記平行風発生手段にプロペラファンや斜流ファンを用いる場合、発生する多量の風量を人体と平行な平行風とするため、比較的大径な平行風変換板を人体側に一体化して備える必要がある。そのため、前記平行風の空気出口部に形成するファンガードの面積が制限されと共に、上記平行風発生手段が大型化し、且つ重量も嵩むと共に、前記平行風の不均一な吹き出しなどに起因して、使用者に対して不快感を与える、という問題があった。
更に、前記斜流ファン（特許文献１の図９，１０参照）は、モータの回転軸と直交する仮想の平面に対し、羽根の基端側から先端側に向かって約１５度の傾斜角度を有しているので、空気の吸い込み側に十分な空間を配置しにくかった。
一方、前記シロッコファン等を用いた場合、比較的高い静圧が得られる反面、発生する風量が少ないので、冷却衣服と人体との長い隙間全体に十分な風を送ることが困難であった。しかも、複数の羽根を含む構造が複雑で、小型化しにくく、且つコストが嵩むので、前記冷却衣服には適用し難い、という問題があった。
【先行技術文献】
【特許文献】
【０００４】
【特許文献１】特許第４３２９１１８号公報（第１〜１６頁、図１〜１４）
【発明の概要】
【発明が解決しようとする課題】
【０００５】
本発明は、背景技術で説明した問題点を解決し、前記平行風変換板などを用いない比較的簡素な構造のファンにより、外部から吸い込んだ空気を、高い風圧で且つ多大な風量にして、衣服と人体側との隙間に比較的均一に送風できる空調衣服用送風装置、およびこれを用いた空調衣服を提供する、ことを課題とする。
【課題を解決するための手段および発明の効果】
【０００６】
本発明は、前記課題を解決するため、空調衣服に装着するファンとして開放型軸流ファンを用い、該ファンにおけるスピナーの外周面に突設する羽根の枚数と、該羽根の３次元的な形状とを特定する、ことに着想して成されたものである。
即ち、本発明の空調衣服用送風装置（請求項１）は、衣服の布地に設けた開口孔に取り付けられ、且つ前記衣服の内側に外気を送風して着用者の発汗を抑制するための空調衣服用送風装置であって、モータおよび該モータにより回転するファンを内設し且つ送気孔を有する内側筒体と、該内側筒体の外側に固定され、外気導入用の吸気孔を有し且つ外周面に径方向に突出するフランジを有する外側筒体と、全体が円環状を呈し且つ上記内側筒体の外周面にネジ結合されるリング体と、を備え、上記ファンは、上記モータの回転軸に接続されるスピナーと、該スピナーの外周面から放射状に突設された８枚乃至１０枚の羽根とからなり、該羽根は、上記スピナーの外周面に、該スピナーの径方向に沿った面に対して３０度〜３４度の傾斜角度で接続された羽根基部と、該羽根基部から先端側に曲面状に延び、且つ上記スピナーの径方向に沿った面に対して１６度〜２０度の傾斜角度で傾斜している羽根先端部と、を有していると共に、該羽根は、回転方向で後側となる羽根後側面において、上記スピナーの径方向に沿った面に対し、上記羽根基部から羽根先端部に向かって前記スピナーの先端面側に４度〜７度の傾斜角度で傾斜している、ことを特徴とする。
【０００７】
前記空調衣服用送風装置によれば、以下の効果（１），（２）が得られる。
（１）前記ファンは、前記枚数の羽根が前記スピナーの外周面に前記傾斜角度の羽根基部で接続され、該羽根が羽根先端部側に向かって上記スピナーの径方向に沿った仮想の面に対し、徐々に浅くなって行く前記傾斜角度の羽根先端部を有すると共に、該羽根が上記羽根基部から羽根先端部側に向かって上記スピナーの先端面側に４〜７度の角度で傾斜している。その結果、前記外側筒体の吸気孔から上記スピナーの軸方向に沿って吸い込まれた空気を、比較的狭い空間内で効率良く径方向側に送風できると共に、比較的高い風圧（静圧）と多大な風量とによって、前記内側筒体の送気孔から前記衣服の内側に沿って均一な送風を行うことができる。
（２）前記平行風変換板を用いず、比較的簡素でコンパクトな構造を有し且つ安価なファンにより構成されているため、前記空調衣服の取付孔に取り付けることで、夏季などの屋外作業者に対し快適な作業環境を提供することが可能となる。
【０００８】
尚、前記空調衣服用送風装置を構成するファンを含む内側筒体、外側筒体、およびリング体には、例えば、ＡＢＳ樹脂などの合成樹脂を射出成形した成形物が用いられるが、これに限定されるものではない。
また、前記モータには、例えば、投入電力：約２〜６Ｗ、回転数：約４０００〜６６００ｒｐｍの直流（ＤＣ）モータが用いられる。
前記スピナーは、全体が円柱形状で、前記モータの回転軸が接続される基端側と、該基端側と軸方向で反対側に位置する半球形状の先端面側とを有している。
また、前記スピナーの直径は、前記羽根の径方向に沿った長さと同様である。
更に、前記羽根は、前記スピナーの軸方向における基端側（前記モータの回転軸側）から径（放射）方向に沿って突設されている。
また、前記羽根は、前記スピナーの外周面に接続する羽根基部と、該羽根基部から前記スピナーの径方向で且つ放射状に沿って延びた羽根先端部と、上記羽根基部と羽根先端部との間に位置し、羽根の回転方向における先側の羽根先側面および後側の羽根後側面と、これらに囲まれた羽根本体とを有している。
更に、前記羽根を８〜１０枚としたのは、本送風装置のような比較的小型で且つ狭い空間内で、十分な静圧と風量とを得るには、８枚以上が有利であるが、１１枚以上にした場合、合成樹脂による射出成形が技術的に困難となるためである。
【０００９】
また、前記羽根基端部は、スピナーの先端側に凸となる緩い円弧形状の断面を有し、該羽根基端部の傾斜角度は、前記円弧の弦となる接線であり、かかる傾斜角度を３０〜３４度としたのは、前記枚数の羽根を前記スピナーの外周面に対し、該スピナーの軸方向の視覚で互いに離して接続し、且つスピナーの径方向における視覚での傾斜角度を比較的浅くし、本送風装置の内側に吸い込んだ風（空気流）の向きを軸方向から径方向に沿って変換し易くするためである。
更に、前記羽根先端部も、前記同様の円弧形状の断面を有し、該羽根先端部の傾斜角度は、前記円弧の弦となる接線であり、かかる傾斜角度の傾斜角度を１６〜２０度としたのは、前記スピナーの径方向の視覚での傾斜角度を一層浅くして、本送風装置内に吸い込んだ風の向きを、前記スピナーの軸方向から径方向に沿うように、より確実に変換し易くするためである。
また、前記羽根を前記スピナーの先端面側に４〜７度傾斜させたのは、本送風装置内に吸い込んだ風の向きを、前記スピナーの軸方向から径方向に確実に変換させるためである。
加えて、前記モータには、前記空調衣服の内側に縫い付けた内ポケットなどに収納されたリチウム電池などの電源から、ケーブルを介して電力が給電される。
【００１０】
また、本発明には、前記ファンの羽根は、９枚であり、回転方向で後側となる羽根後側面において、前記羽根基部から羽根先端部に向かって前記スピナーの先端面側に５度〜６度の傾斜角度で傾斜している、空調衣服用送風装置（請求項２）も含まれる。
これらによれば、本送風装置内に吸い込まれた空気を、一段と効率良く径方向側に送風でき、比較的高い風圧と多大な風量とによって、前記内側筒体の送気孔から衣服の内側に沿ってより均一な送風が行えるので、前記効果（１）を一層確実に得ることが可能となる。
【００１１】
更に、本発明には、前記スピナーの先端面側は、半球形状であり、且つ該スピナーの先端面と、前記外側筒体の頂部との間には、７ｍｍ以上の間隔が配置されている、空調衣服用送風装置（請求項３）も含まれる。
これらによれば、前記外側筒体の頂部と前記スピナーの先端面側との間に比較的大きな容積の空間が形成され、前記ファンにより吸い込まれた多くの空気を効率良く該ファンの羽根側に取り込めるので、前記効果（１）を顕著に得られる。
また、上記間隔を設けることにより、高速回転する羽根によって生じる騒音を抑制できるので、静粛性を保つことができる（以下、効果（３）と称する）。
尚、前記スピナーの先端面側の半球形状には、幾何学的な半球形のほか、中心側の平坦な円形面の周辺に沿って円弧形状の曲面を有する形態も含まれる。
また、前記間隔の上限は、本送風装置の小型化を保つため、１０ｍｍである。
更に、前記外側筒体は、前記間隔を確保するため、その軸方向における視覚が、前記頂部を含む外側に凸となる円弧形状、または富士山形の形状を有している。
【００１２】
加えて、本発明には、前記羽根の回転方向における先側の羽根先側面および後側の羽根後側面の少なくとも一方の羽根先端部側には、該羽根の回転方向または厚み方向に延びたウィングレッドが突出している、空調衣服用送風装置（請求項４）も含まれる。
これによれば、前記ファンの羽根ごとによる高速回転に伴って、羽根ごとの先端側に生じる回転方向に沿った空気の渦巻き流の発生を抑制し、該羽根ごとの安定した回転軌跡を得られるので、前記効果（１）を一層得易くすることができる。
尚、前記ウィングレッドは、羽根先端部から当該羽根の厚み方向の何れか一方に延びた平板状の形態、羽根先端部から当該羽根の回転方向の前方および後方の少なくとも一方に延びた紡錘形状あるいは半紡錘形状が例示される。
【００１３】
一方、本発明の空調衣服（請求項５）は、空調衣服用送風装置を、衣服の布地に設けた取付孔に取り付けてなる、ことを特徴とする。
上記空調衣服によれば、前記効果（１）〜（３）を奏する前記送風装置が、衣服の布地に設けた単数または複数の取付孔に取り付けられているので、夏季などの屋外作業者や高温環境の作業者に対し、快適な作業環境を確実に保証することができる（以下、効果（４）と称する）。
尚、前記空調衣服は、主に上着を対象とし、該上着の後ろ見頃における左右の両脇腹付近に開設した一対の取付孔に前記送風装置が個別に取り付けられる。この場合、２つの前記モータと前記電池との間は、分岐ケーブルで接続される。
また、空調衣服の生地は、例えば、ポリエステル（以下、ＰＥと称する）からなり、該生地には、通気性をなくすか極少とするコーティングが施されている。
【図面の簡単な説明】
【００１４】
【図１】（Ａ）は本発明による空調衣服の前身頃側からの概略図、（Ｂ）は前記空調衣服の後ろ身頃側からの概略図。
【図２】（Ａ）は図１（Ｂ）中における本発明の空調衣服用送風装置付近の概略を示す垂直断面図、（Ｂ）は前記（Ａ）中の部分拡大図。
【図３】上記空調衣服用送風装置を構成する外側筒体部、内側筒体部、およびリング体を、これらの軸方向に沿って配列して示した斜視図。
【図４】上記送風装置の図２（Ｂ）とは径方向で異なる位置における部分拡大断面図。
【図５】（Ａ）は上記送風装置のファンを示す平面図、（Ｂ）は該ファンの斜視図、（Ｃ）、（Ｄ）は（Ａ）中のＣ−Ｃ線、またはＤ−Ｄ線の矢視に沿った断面図、（Ｅ）は該ファンの羽根における径方向に沿った傾斜角度を示す概略図。
【図６】上記送風装置の実施例と比較例との性能を検出するために用いた送風検査用治具を示す断面図。
【発明を実施するための形態】
【００１５】
以下において、本発明を実施するための形態について説明する。
図１（Ａ）は、本発明による空調衣服１の前身頃２側からの概略図、図１（Ｂ）は、前記空調衣服１の後ろ身頃８側からの概略図である。尚、以下において、空調衣服１側とその外側とを外側と称し、着用者側を内側と称する。
上記空調衣服１は、図示のように、前記ＰＥなどからなる生地を縫合した前見頃２、後ろ身頃（背中側）８、および左右一対の袖部６により構成され、前見頃２における襟４の直下にはファスナー（図示せず）などにより開閉される合わせ部３が位置している。また、前身頃２および後ろ身頃８の裾側には、着用者の胴体腰部に密着する伸縮部５が設けられ、各袖６の先端側には、着用者の手首に密着する伸縮可能な袖先部７が設けられている。
また、後ろ身頃８における左右の脇腹付近には、側面視が円形である左右一対の取付孔９が個別に開設され、該取付孔９内ごとに次述する空調衣服用送風装置（以下、単に送風装置と称する）１０が取り付けられている。
尚、前見頃２の内側における適所には、内ポケット２ａが設けられ、該内ポケット２ａ内には、送風装置１０のモータＭに電力を給電するリチウム電池４８などの電源が挿入されている。
【００１６】
図２（Ａ）は、図１（Ｂ）中における前記送風装置１０の付近を示す垂直断面図、図２（Ｂ）は、前記（Ａ）の部分拡大図、図３は、上記送風装置１０を構成する外側筒体５０、内側筒体１１、および、リング体６０を示す斜視図である。
上記送風装置１０は、図２（Ａ），（Ｂ）に示すように、前記空調衣服１の後ろ身頃８に設けた左右一対の丸い取付孔９ごとに個別に取り付けられている。前記取付孔９は、その内周縁に沿って後ろ身頃８の生地を一定の幅で折り返し、且つ縫い付けた折り返し部８ａを有している。尚、該折り返し部８ａは、後ろ身頃８の生地とは別体でも良く、各々が記取付孔９の内周縁に沿って折り返し、且つ各々の内側に穴付きの円環形の補強板（図示せず）を抱えて縫い付けられていても良い。
【００１７】
また、図２（Ａ），（Ｂ）に示すように、前記送風装置１０を構成する内側筒体１１と外側筒体５０とは、内側筒体１１の筒周部１２の内側に、外側筒体５０の筒周部５１を挿入した状態で、予め、図示しない係止手段で互いに固定されている。該係止手段としては、例えば、一方の筒周部に設けた凹部（図示せず）内に、他方の筒周部に設けた径方向に沿って弾性変形が可能な爪片（図示せず）を挿入する２組以上の凹部および爪片の組み合わせが例示される。
上記筒周部１２の内側に、外側筒体５０の筒周部５１を挿入して当該外側筒体５０を固定した内側筒体１１は、図２（Ｂ）に示すように、前記取付孔９内に空調衣服１の外側から軸（水平）方向に沿って挿入され、該内側筒体１１の筒周部１２の外側面に刻設された２条ネジ（多条ネジ）１３に対し、予め、上記衣服１の内側に配置したリング体６０のリング本体６２における内周面６４に刻設された２条ネジ（多条ネジ）６３をネジ結合することによって、前記リング体６０と共に、前記取付孔９の内側に緊密に且つ気密的に取り付けられる。
【００１８】
前記外側筒体５０は、ＡＢＳ樹脂の一体物からなり、図２（Ｂ），図３の左側に示すように、円筒形の筒周部５１と、該筒周部５１との外側端部から径方向に沿って一体の幅で延びた円環板状のフランジ５２と、該フランジ５２の内側の中心部に位置する円板形状の頂部５６と、前記フランジ５２の内周縁から前記頂部５６に向かって延び、且つ前記２条ネジ１３のネジ込み方向に沿って湾曲した複数の円弧片５７と、上記頂部５６の外側に同心円状に配置され、且つ前記円弧片５７と個別に接続する複数の円環片５８とを備えている。該複数の円環片５８と複数の円弧片５７とは、外格子状部（５７，５８）を構成しており、これらの間には、外気を取り入れるための複数の吸気孔５９が位置している。
図２（Ａ），（Ｂ）に示すように、上記頂部５６と、複数の上記円弧片５７および円環片５８からなる外格子状部とは、外側筒体５０の径方向に沿った視覚（断面視）で、全体の外形が円錐形状、円弧形状、または富士山形状を呈する。
【００１９】
また、図３の左側に示すように、前記外側筒体５０のフランジ５２の外周縁には、該外周縁の円周方向に沿って、８組（複数）の凸部５３がほぽ等間隔で且つ放射状に突設されている。該凸部５３は、該外側筒体５０の軸方向に沿った視覚において、一対の鈍角である角部５４と、該一対の角部５４同士の間に位置し且つ上記フランジ５２の中心側に凸となるアール辺５５とにより構成される外形を有している。該アール辺５５の曲線は、大人の指先の腹部の半径とほぼ同じか、該半径よりも若干大きく設定されている。そのため、予め、内側筒体１１を固定した外側筒体５０を、片手側の各指先で掴んだ際に、各指先の腹面側が各凸部５３のアール辺５５ごとに密着して接触させることができる。しかも、その際、前記複数の円弧片５７が、上記片手における掌の甲にネジ込み方向に沿って接触するため、前記ネジ込み操作を一層滑らか、迅速、安全に行うことが可能となる。
【００２０】
更に、前記内側筒体１１も、ＡＢＳ樹脂の一体物からなり、図２（Ｂ）および図３の中央側に示すように、全体がドーム形状を呈し、該ドーム形状の頂側に位置する円板状の頂部１５と、外側面に前記２条ネジ１３が刻設された円筒形状の筒周部１２との間には、放射状に延びた複数の径片１６と、前記頂部１５の外側を同心円状に囲み且つ前記径片１６と個別に接続する複数の円環片１７とが形成され、これらの間には、複数の送気孔１８が個別に位置している。上記複数の径片１６と複数の円環片１７とは、内格子条部（１６，１７）を構成している。
また、前記頂部１５の内側には、円筒形状の収納室１４が一体に形成され、該収納室１４内には、モータＭが収納されている。該モータＭの回転軸の先端側は、前記外側筒体５０の頂部５６側に突出し、該回転軸には、図２（Ａ），（Ｂ）に示すように、全体が円筒形状を呈するスピナー２１の先端部が固定されている。
尚、上記スピナー２１は、後述するファン２０の中心側部分を構成している。
【００２１】
また、図４に示すように、前記内側筒体１１のドーム形状の一部には、前記収納室１４から径方向に延びたコネクタピン（コネクタ）３８を内側に有し、且つ横壁１９を含む凹部３６が配置され、該凹部３６の外側には、前記頂部１５から径方向に延びたカバー片３４が、上記コネクタ３８に隣接して突設されている。上記コネクタ３８には、前記リチウム電池４８などの電源に一端側のプラグが接続され、且つ他端側が二股とされた分岐ケーブル４６ごとの先端に位置するプラグ４２が接続される。これにより、前記モータＭに所要の電力が給電される。
尚、図４において、プラグ基体４０における上記分岐ケーブル４６との接続部４４は、図示でプラグ基体４０の前後方向の何れか一方に位置する姿勢とされることによって、上記プラグ４２とコネクタ３８とが接続される。
また、内側筒体１１は、コネクタ３８や凹部３６を径方向に沿った任意の位置に配置し易くされているので、前記電池４８と最短距離での接続が可能となる。
【００２２】
更に、前記リング体６０も、ＡＢＳ樹脂の一体物からなり、図２（Ｂ）および図３の右側に示すように、円筒形のリング本体６２と、該リング本体６２の内周面６４に刻設された２条ネジ（多条ネジ）６３と、前記リング本体６２の外側端から径方向に円環板形状に張り出した円環片６１と、該円環片６１における前記外側筒体５０のフランジ５２と対向する円環面に形成された複数の凹凸条６６と、を備えている。上記２条ネジ６３は、本リング体６０の射出成形技術上の理由により、リング本体６２の内周面６４における円周方向に沿って、そのネジ山およびネジ谷からなる矩形状の領域が２カ所〜４カ所に分散して刻設されている。
また、上記複数の凹凸条６６は、本リング体６０の円周方向に沿った断面がほぼ鋸刃形状を呈し、上記２条ネジ６３と前記内側筒体１１の２条ネジ１３とをネジ結合する際に、何れもネジ込む方向に沿って僅かに湾曲しつつ傾斜している。
【００２３】
加えて、前記内側筒体１１の内周側で前記モータＭによって回転されるファン２０も、ＡＢＳ樹脂の一体物からなり、図３の中央側と図５（Ａ），（Ｂ）に示すように、中心側に位置し且つ上記モータＭの回転軸に接続されるスピナー２１と、該スピナー２１の外周面２２から放射状に突設された９枚の羽根２４とから構成されている。上記スピナー２１は、平坦な円形面とその周辺に沿った円弧形状の曲面とからなり、全体が半球形状を呈する先端面側（２１）と、円柱形の外周面２２と、リング形状の後端面２３とを有している。
【００２４】
また、前記羽根２４は、図５（Ａ）に示す前記スピナー２１の軸方向の視覚において、該スピナー２１の外周面２２に接続される羽根基部２５と、該羽根基部２５の両端から先端（外端）側に曲線状に延びた羽根先側面２７および羽根後側面２８と、これらの先端側同士の間に位置する羽根先端部２６と、これらに囲まれた羽根本体とから構成され、全体として先端側に行くほど幅が広くなる変形した台形状を呈している。尚、羽根２４の厚みは、約０．４〜１ｍｍの範囲にある。
図５（Ａ），（Ｂ）に示すように、上記羽根先端部２６ごとの回転方向における先側には、全体が紡錘形状または半紡錘形状を呈するウィングレッド２９が回転方向に沿って突設されている。尚、該ウィングレッド２９は、ボルテックスジェネレーター、あるいは、タービュレーターとも称される。
【００２５】
前記羽根基部２５は、図５（Ｃ）に示すように、前記スピナー２１の径方向に沿った仮想の面ｋに対し、３０〜３４度（例えば、３２度）の傾斜角度θ１を付けて、該スピナー２１の外周面２２に接続されている。
また、前記羽根先端部２６は、図５（Ｄ）に示すように、上記面ｋに対して、１６〜２０度（例えば、１８度）の傾斜角度θ２を有している。即ち、羽根２４は、羽根基部２５から羽根先端部２６に向かって上記面ｋに対する傾斜角度が徐々に小さくなる３次元形状の曲面体であると共に、図５（Ｃ），（Ｄ）に示すように、前記スピナー２１の先端面側に緩く傾斜する円弧形状の断面を有している。
尚、前記傾斜角度θ１，θ２は、上記円弧形状の断面におけるスピナー２１の後端面２３側と先端面（２１）側とを結ぶ接線３０，３１を基準として計測されている。
【００２６】
更に、前記羽根２４は、図５（Ｅ）に示すように、その回転方向で後側となる羽根後側面２８における前記羽根基部２５から羽根先端部２６に向かって、前記面ｋに対して、４〜７度（例えば、６度）の傾斜角度θ３で前記スピナー２１の先端面（２１）側に傾斜している。
尚、上記傾斜角度θ３は、図５（Ｅ）に示すように、羽根後側面２８における羽根基部２５と羽根先端部２６とを結ぶ接線３２を基準として計測されている。
【００２７】
以上のように、ファン２０における９枚の羽根２４は、前記スピナー２１の軸方向に沿った視覚で互いに重複しておらず、個々の羽根２４は、羽根基部２５から羽根先端部２６に向かうに従って傾斜が前記角度θ１から角度θ２に徐々に小さくなると共に、羽根後側面２８側がスピナー２１の先端面側に前記角度θ３で傾斜している。そのため、後述するように、比較的少ない投入電力によって、高い風圧と多大な風量とを有する風を前記衣服１の内側に供給することができる。
しかも、各羽根２４の羽根先端部２６には、回転方向の先側に突出したウィングレッド２９を設け、羽根２４ごとの先端部付近に生じる空気の渦巻き流の発生を抑制しているので、各羽根２４の回転軌跡と回転状態とを安定可能としている。
【００２８】
更に、図２（Ｂ）中で示すように、前記スピナー２１の先端面（２１）と、前記外側筒体５０の頂部５６の内面との間には、上記スピナー２１の軸方向に沿って、７ｍｍ以上（例えば、約８ｍｍ）の間隔Ｌが配置され、且つ上記スピナー２１の先端面側の半球形状と相まって、該スピナー２１および各羽根２４と、外側筒体５０との間には、比較的大きな容積の空間ｓが形成されている。その結果、外側筒体５０の内側に多量の空気を取り込んで、高速回転する羽根２４側に送れると共に、該羽根２４の高速回転に伴って生じる騒音を抑制することができる。
【００２９】
前記のようなモータＭおよびファン２０などを含む内側筒体１１と、外側筒体５０と、リング体６０とによって、前記送風装置１０を構成するには、先ず、内側筒体１１と外側筒体５０とを、前記係止手段を含めて互いに軸方向に沿って連結した後、これら内側筒体１１および外側筒体５０の大半部分を前記空調衣服１の外側から該衣服１の前記取付孔９内に挿入し、且つ外側筒体５０の前記フランジ５２を取付孔９における外側の周縁に密着させる。
次に、前記リング体６０を空調衣服１の内側から外側筒体５０と連結された内側筒体１１の筒周部１２に近付け、上記リング体６０の２条ネジ６３と前記内側筒体１１の２条ネジ１３とを互いにネジ結合する。この際、回転する側の２条ネジ６３を１回転する度に、非回転側の２条ネジ１３における２つのピッチを移動する、即ち、リング体６０を１回転させると、該リング体６０は、内側筒体１１の筒周部１２の軸方向に沿って、２条ネジ１３で２ピッチ分移動する。従って、通常の１条ネジによるネジ込みに比べて、半分の回転操作でネジ結合できる。
【００３０】
その結果、前記図２（Ａ），（Ｂ）、図４に示したように、内側筒体１１と連結された外側筒体５０の前記フランジ５２と、リング体６０の円環片６１とによって、前記衣服１の取付孔９の内周縁が、内外の両側から緊密に挟み込まれる。
しかも、前記ネジ込み操作に伴って、リング体６０の円環片６１に形成された複数の前記凹凸条６６が、前記取付孔９の内側に位置する布地８（８ａ）に回転しつつ食い込むので、前記内側筒体１１、外側筒体５０、およびリング体６０により構成された前記送風装置１０を、衣服１の取付孔９を塞いだ状態で該衣服１に緊密に取り付けることができる。従って、取付孔９の内径と内側筒体１１における周筒部１２の外径とがほぼ同じか、あるいは両者間の値に若干の差があっても、外気の流入漏れを生じることなく、一対の前記送風装置１０を前記取付孔９ごとに個別に簡単且つ迅速に取り付けられる。
【００３１】
更に、予め、前記衣服１の内ポケット２ａ内に挿入したリチウム電池４８から延びた分岐ケーブル４６の先端ごとに位置するプラグ４２を、前記送風装置１０ごとにおけるコネクタ３８に個別に接続した後、上記リチウム電池４８側あるいは上記ケーブル４６の中間に配置した図示しないスイッチを投入する。
その結果、前記ファン２０を構成する９枚の羽根２４が高速回転することによって、図２（Ａ）中の実線の矢印で示すように、外気を前記衣服１の外側から上記送風装置１０内に広角度で且つ大量（多風量）に吸引できる。この際、前記スピナー２１と外側筒体５０の頂部５６との間に、前記間隔Ｌに基づく広めの空間ｓが位置していることで、多量の外気を効率良く上記送風装置１０内に吸引できると共に、各羽根２４の高速回転に伴う騒音の発生を抑制することができる。
【００３２】
前記吸引された多量の空気は、図２（Ａ）中の一点鎖線の矢印で示すように、高速回転する９枚の前記羽根２４によって、前記内側筒体１１における複数の送気孔１８から、前記スピナー２１のほぼ径方向に沿って、前記衣服１と着用者の肌着ｈまたは身体ｈとの隙間に沿って、高い圧力（静圧ないし風圧）を伴って多量に送給される。
その結果、前記衣服１の内側に沿って送給された上記空気は、図１（Ａ），（Ｂ）中の一点鎖線の矢印で示すように、衣服１の後ろ身頃８の全体に拡がって送られると共に、その一部は、両側の袖部６の内側や、前見頃２の内側にも送気される。この間において、着用者が発生した汗は、前記衣服１の内側に沿って、高い圧力で且つ連続して送気される上記空気により、発生後に直ちに蒸発する。
【００３３】
更に、前記汗の蒸発成分を含む空気は、主に前記衣服１の襟４と着用者の首との隙間から外部に放出される。尚、前記空気は、その他の部位からも外部に放出される。また、上記衣服１の襟４の内側に沿って、予め、塑性変形が容易な棒材や帯材を縫い込んでおくことで、上記襟４の一部と着用者の首側の一部との間に、排気用の空間を予め配設しておいても良い。
以上において説明した前記送風装置１０によれば、前記効果（１）〜（３）を確実に得られる。
【００３４】
また、前記送風装置１０を一対の前記取付孔９に装着した前記空調衣服１によれば、前記効果（１）〜（３）を確実に得られるので、該衣服１の着用者が所要の作業を能率良く快適且つ安全に行うことが容易となる効果（４）を奏する。
更に、前記空調衣服１の取付孔９の内径と、送風装置１０の内側筒体１１における２条ネジ１３のネジ山径とが、ほぼ同じで良いため、該送風装置１０の空調衣服１への取り付け時はもとより、洗濯時などの取り外しも容易に行える。
【実施例】
【００３５】
以下において、前記効果（１）を確認することを目的とした本発明による実施例の前記送風装置１０と、２つの比較例の送風装置（市販製品）とについて説明する。
予め、同じ内径の筒周部１２と同様な内格子状部とを有する３つの前記内側筒体１１の内側に、直径が同一で且つ表１に示す先端側の形状のスピナー（２１）ごとの外周面２２に、表１に示す枚数と、傾斜角度θ１〜θ３とを有する実施例の羽根２４と、比較例１，２の各羽根とを有する３つのファン（２０）を、３つの該内側筒体１１ごとに個別に設けたモータＭの回転軸に接続した。尚、表１中には、３組のスピナーの先端面と外側筒体の頂部との間隔Ｌも併記した。
更に、上記３つの内側筒体１１ごとに対し、同様な外格子状部を有する外側筒体（５０）と実質的に同様であるリング体（６０）とを組み付けることにより、実施例の送風装置１０と、比較例１，２の送風装置とを用意した。
【００３６】
前記実施例の送風装置１０と、比較例１，２の送風装置とを、図６に示す送風検査用治具７０における左端の開口部７２（前記取付孔９に相当）に、粘着テープを用いて順次取り付けた後、前記モータＭごとに対し、表１に示す電力を個別に投入して、図６中に示す測定位置Ａ〜Ｃにおける風速および風量を個別に測定した。それらの結果を表２に示した。
上記送風検査用治具７０は、図６に示すように、大径の開口部７２を含み且つ前記取付孔９付近に相当する円筒形の太径部７１、前記後ろ身頃８全体にほぼ相当する円筒形の中径部７３、および、前記前記衣服１の襟４付近に相当する円筒形の細径部７５を、互いに同軸心となるように、４５度で傾斜する２カ所の円錐形部７４，７６を介して接続したものであり、何れの部分も塩化ビニールのパイプからなる。尚、図６で細径部７５の右端に位置する符号７８は、空気の放出孔を示す。
【００３７】
【表１】
2020002482.tif 000003
（注；表１中の「θ３＝０」には、羽根後側面がスピナー側から羽根先端部に向かって前記面ｋに対し一旦マイナス方向（内側）にカーブしている形態も含まれている）
【００３８】
【表２】
2020002482.tif 000004
（注；表２中の風量の単位中におけるＬは、リットルを示す）
【００３９】
表１，表２によれば、実施例の送風装置１０は、比較例１，２の送風装置に比べて、比較的低い電力が投入されたにも拘わらず、測定位置Ａ〜Ｂ間では風速が若干低下したものの、測定位置Ｂ〜Ｃ間では風速が速くなると共に、測定位置Ｂ，Ｃでは、比較例１，２の同じ位置に比べてかなり速い風速であることを示した。また、風量についても、実施例の送風装置１０は、測定位置Ａでは比較例１と同様であったが、測定値Ｃでは比較例１，２よりも明らかに多大な風量を示した。
以上のような結果によれば、実施例の送風装置１０は、前記羽根２４を有するファン２０を用いたことにより、前記衣服１の内側と着用者の身体ｈとの間における長く幅広い隙間に沿って、外部から吸い込んだ空気を、比較的速い風速と多大な風量とによって、均一に送風できることが判明した。
【００４０】
よって、実施例の前記送風装置１０が、前記効果（１）を有していることを確認することができた。
尚、実施例の送風装置１０が前記比較例１，２の送風装置に比較して、前述した優れた効果（１）を発揮し得たのは、前記表１で示すように、前記羽根２４の傾斜角度θ３が１つの大きな要因である、と推定される。
【００４１】
本発明は、前記のような形態および実施例に限定されるものではない。
例えば、前記衣服は、作業用の上着に限らず、防熱服やズボンとしても良い。
また、前記衣服１に設ける取付孔９は、１つでも３つ以上としても良い。
更に、前記ファン２０の羽根２４の枚数や傾斜角度θ１〜θ３は、前述した数値の範囲内において、適宜選択することができる。
また、前記ファン２０，内側筒体１１，外側筒体５０，およびリング体６０の何れかを、前記ＡＢＳ樹脂以外の合成樹脂からなるものとしたり、あるいは、アルミニウムやマグネシウムまたはこれらの何れかをベースとする合金である軽金属からなるとしても良い。
【００４２】
更に、前記２条ネジ１３，６３は、通常の１条ネジとしたり、あるいは３条以上の多条ネジとして良い。
加えて、前記モータＭに電力を供給する電源は、前記リチウム電池以外の携帯可能な電池としたり、あるいは、屋内や工場内などの場所で且つ長いケーブルが使用可能である家庭用または産業用電源を用いても良い。後者の場合、前記モータＭには、交流（ＡＣ）モータを用いても良い。
以上の他、本発明は、その趣旨を逸脱しない範囲で適宜変更することができる。
【産業上の利用可能性】
【００４３】
本発明によれば、比較的簡素な構造のファンにより、外部から吸い込んだ空気を、高い風圧で且つ多大な風量にして、衣服と人体側との隙間に比較的均一に送風できる空調衣服用送風装置と、これを用いた空調衣服とを確実に提供できる。
【符号の説明】
【００４４】
１……………空調衣服／衣服
８……………布地
９……………取付孔
１０…………送風装置
１１…………内側筒体
１８…………送気孔
２０…………ファン
２１…………スピナー／スピナーの先端面側
２２…………スピナーの外周面
２４…………羽根
２５…………羽根基部
２６…………羽根先端部
２８…………羽根後側面
２９…………ウィングレッド
５０…………外側筒体
５２…………フランジ
５６…………頂部
５９…………吸記孔
６０…………リング体
Ｍ……………モータ
ｋ……………面／仮想面
Ｌ……………間隔
θ１〜θ３…傾斜角度
【図１】
2020002482.tif 000005
【図２】
2020002482.tif 000006
【図３】
2020002482.tif 000007
【図４】
2020002482.tif 000008
【図５】
2020002482.tif 000009
【図６】
2020002482.tif 000010
【手続補正書】
【提出日】平成30年6月26日(2018.6.26)
【手続補正１】
【補正対象書類名】図面
【補正対象項目名】図６
【補正方法】変更
【補正の内容】
【図６】
2020002482.tif 000011